(57)【要約】      （修正有）【課題】偏荷重を有する光ディスクを再生させた場合でも光ディスクに記録されたデータを正確に再生することができる光ディスク再生装置を提供する。【解決手段】筐体２と、ローダ駆動手段５と、前方に突出するピン６０５を備え光ディスクを再生する再生部６と、再生部の後方部分の左右側面から突出する第１及び第２の軸６０６、６０７と、凹部７０１によって第１の軸を軸支する第１の軸受け７と、貫通する孔８０１を備え第２の軸６０７を軸支する第２の軸受け８と、ピン６０５を挿入する長孔部を備える保持部１１と、ピン６０５が傾斜溝及び水平溝に挿入され左右方向にスライド可能なスライド部１２をスライドさせるスライド駆動部１５と、第１及び第２の軸を後方に押圧する第１の弾性部９０１と、第２の軸を内側方向に押圧する第２の弾性部１０１と、スライド部１２を上方に押圧する板バネ部とを備え、保持部１１の長孔部は、上端部分に傾斜部を備える。【選択図】図１
2008103023.tif 000002
【特許請求の範囲】
【請求項１】
筐体と、
前記筐体の前面に開口する開口部と、
光ディスクを載置するディスク載置部を備えるローダ部を備え前記開口部を介して当該ローダ部を前記筐体の外部から前記筐体の内部に移動させるローダ駆動手段と、
前面に前方に突出するピンを備え前記ローダ駆動手段によって前記筐体の内部に移動された光ディスクに記録されたデータを再生する再生部と、
前記再生部の後方部分の左側面及び右側面からそれぞれ水平方向に突出する第１の軸及び第２の軸と、
凹部を備え前記第１の軸を当該凹部に挿入することによって前記第１の軸を軸支する第１の軸受けと、
貫通する孔を備え前記第２の軸を当該孔に挿入することによって前記第２の軸を軸支する第２の軸受けと、
前記ピンを挿入し前記ピンが上下方向に移動可能な長孔部を備える保持部と、
左右方向に対して上下に傾斜する傾斜溝を備えると共に当該傾斜溝の左右の一端にそれぞれ連通し水平方向に長孔を有する水平溝を備え前記ピンが当該傾斜溝または当該水平溝に挿入され左右方向にスライド可能なスライド部と、
前記スライド部を左右方向にスライドさせるスライド駆動部と、
前記第１の軸及び前記第２の軸を後方に押圧する第１の弾性部と、
前記第２の軸を内側方向に押圧する第２の弾性部と、
前記スライド部を上方に押圧する板バネ部とを備え、
前記保持部の長孔部は、上端部分に傾斜部を備えることを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
従来の光ディスク再生装置として、光ディスクを載置したローダ部を筐体の内部に移動させ、筐体内部に備えるターンテーブルによって当該光ディスクを回転させることによって、光ディスクに記録されたデータを再生するディスクローディング機構を有する光ディスク再生装置が知られている（例えば、特許文献１参照。）。
【０００３】
特許文献１に開示された光ディスク再生装置は、光ディスクを回転させるターンテーブル及び光ディスクに記録されたデータを再生する光ピックアップ等を備えた再生部（特許文献１ではトラバース系２７）を備える。この再生部は、一端が筐体本体に軸支され、他端にピン（特許文献１ではピン部２８）を備える。このピンは、スライド部（特許文献１ではスライドレバーＡ１８）に備えた溝部（特許文献１ではカム溝２３）に係合し、当該スライド部がスライドすることによって昇降する。これにより、再生部は、筐体に軸支された一端部分を軸として上下に昇降可能となっている。
【０００４】
前述したように、特許文献１に開示された光ディスク再生装置は、先ず、ローダ部が光ディスクを筐体内に移動させ、次に、筐体内に移動された光ディスクの下方から筐体に一端が軸支された再生部が上昇して再生部に備えるターンテーブルが光ディスクを保持した後、当該ターンテーブルが光ディスクを回転させると共に光ピックアップが光ディスクに記録されたデータを読み取ることによって、光ディスクに記録されたデータを再生する構成となっている。
【０００５】
【特許文献１】特開平６−２５１４８１号公報
【発明の開示】
【発明が解決しようとする課題】
【０００６】
特許文献１に開示されているような従来の光ディスク再生装置は、通常、再生部の一端の左右側面からそれぞれ水平方向に軸が突出し、この軸を筐体に固定された軸受けが軸支することによって再生部の一端を軸支する構成となっている。このため、温度変化によって軸受けに軸支される軸が膨張して外径が大きくなると、当該軸の外周部分が軸受けの内周部分をスムーズに移動できなくなり、当該再生部がスムーズに昇降しなくなってしまうため、この軸の外周と軸受けの内周との間に所定の隙間を保っておく必要がある。また、再生部の他端に備えるピンを昇降させる部分においても、温度変化によって溝に挿入されたピンが膨張して外径が大きくなると、当該ピンの外周部分が溝の内壁をスムーズに移動できなくなり、当該再生部がスムーズに昇降できなくなってしまうため、このピンの外周と溝の内周との間に予め所定の隙間を設けておくことが必要となる。
【０００７】
このように、従来の光ディスク再生装置は、再生部を軸支する軸の外周と軸受けの内周との間及び再生部を昇降させるためのピンの外周と溝の内周との間に隙間が生じていることによって、筐体と再生部との間には左右方向及び上下方向にガタが生じた状態となる。このため、例えば、偏荷重を有する光ディスクをターンテーブルによって回転させた場合、光ディスクの有する偏荷重によって当該光ディスクが水平方向又は上下方向に振動する。このとき、筐体と再生部との間にガタが生じていることにより、光ディスクから発生した振動が再生部に備える光ピックアップにも伝達してしまい、光ディスクに記録されているデータを光ピックアップが正確に読み取ることができなくなる。また、光ディスクから発生した振動によって再生部が常に振動している状態が長時間に亘ると、この断続的な振動によって再生部に備える光ピックアップや他の電子部品が破損してしまう虞がある。
【０００８】
本発明は、再生部の一端に備える軸を軸受けにより軸支し、他端に備えるピンを溝部により昇降することによって光ディスクに記録されたデータを再生する光ディスク再生装置において、偏荷重を有する光ディスクを再生させた場合でも光ディスクに記録されたデータを正確に再生することができる光ディスク再生装置を提供することを目的とする。
【課題を解決するための手段】
【０００９】
本願の請求項１記載の発明は、光ディスク再生装置において、筐体と、前記筐体の前面に開口する開口部と、光ディスクを載置するディスク載置部を備えるローダ部を備え前記開口部を介して当該ローダ部を前記筐体の外部から前記筐体の内部に移動させるローダ駆動手段と、前面に前方に突出するピンを備え前記ローダ駆動手段によって前記筐体の内部に移動された光ディスクに記録されたデータを再生する再生部と、前記再生部の後方部分の左側面及び右側面からそれぞれ水平方向に突出する第１の軸及び第２の軸と、凹部を備え前記第１の軸を当該凹部に挿入することによって前記第１の軸を軸支する第１の軸受けと、貫通する孔を備え前記第２の軸を当該孔に挿入することによって前記第２の軸を軸支する第２の軸受けと、前記ピンを挿入し前記ピンが上下方向に移動可能な長孔部を備える保持部と、左右方向に対して上下に傾斜する傾斜溝を備えると共に当該傾斜溝の左右の一端にそれぞれ連通し水平方向に長孔を有する水平溝を備え前記ピンが当該傾斜溝または当該水平溝に挿入され左右方向にスライド可能なスライド部と、前記スライド部を左右方向にスライドさせるスライド駆動部と、前記第１の軸及び前記第２の軸を後方に押圧する第１の弾性部と、前記第２の軸を内側方向に押圧する第２の弾性部と、前記スライド部を上方に押圧する板バネ部とを備え、前記保持部の長孔部は、上端部分に傾斜部を備えることを特徴とする。
【発明の効果】
【００１０】
本発明によれば、再生部の一端に備える軸を軸受けにより軸支し、他端に備えるピンを溝部により昇降することによって光ディスクに記録されたデータを再生する光ディスク再生装置において、偏荷重を有する光ディスクを再生させた場合でも光ディスクに記録されたデータを正確に再生することができる光ディスク再生装置を提供することができる。
【発明を実施するための最良の形態】
【００１１】
本発明の実施の形態を図面を参照して説明する。なお、従来技術で示した構成要素と同一の部分については同符号を用いる。
【００１２】
図１は、本発明の一実施例の光ディスク再生装置を示す上面図である。
光ディスク再生装置１は、筐体２、ローダ部３、案内部４、ローダ駆動用モータ５、再生部６、第１の軸受け７、第２の軸受け８、ベース部９、ベース部１０、保持部１１、スライド部１２、スライド案内部１３、スライド駆動部１５、後述するクランパ、板バネ部及び図示しない制御部を備える。
図１においては、下方を光ディスク再生装置１の前方とする。
【００１３】
筐体２は、箱型を形成し、前面に開口部２０１を備える。ローダ部３は、平板であって、中央部分にディスク載置部３０１を備える。ディスク載置部３０１は、上面に図示しない光ディスクを載置可能な凹部３０２を備え、凹部３０２の中央部分に孔３０３を備える。ローダ部３の左右部分の下面にはそれぞれ下方に突出する凸部３０４を備え、上方から見て左側の凸部３０４の内側にはラックギヤ３０５を備える。
【００１４】
案内部４は、ローダ部３の左右の側面に近接した位置にそれぞれ配設された状態で筐体２に固定される。ローダ部３は、左右の側面に案内部４が近接していることによって、左右方向への移動が抑止され、筐体２に対して前後方向にのみ移動可能となる。ローダ駆動用モータ５は、回転軸にピニオン５０１を備え、このピニオン５０１は、ラックギヤ３０５に噛合っている。ローダ駆動用モータ５は、制御部の制御によりピニオン５０１を時計回り方向又は反時計回り方向に回転させる。ローダ部３は、ローダ駆動用モータ５のピニオン５０１が時計回り方向又は反時計回り方向に回転することによって、ピニオン５０１に噛合ったラックギヤ３０５が前後方向に移動し、開口部２０１を介して筐体２の前方と筐体２内部との間を自在にスライドする。
【００１５】
再生部６は、筐体２の内部に配設され、後方部分の左側面及び右側面にそれぞれ水平方向に突出した第１の軸６０６及び第２の軸６０７を備える。再生部６は、前面に前方に突出した２つのピン６０５を備える。再生部６は、上面にターンテーブル６０１、スピンドルモータ６０２、光ピックアップ６０３及びピックアップ駆動部６０４を備える。
【００１６】
ターンテーブル６０１は、ローダ部３によって筐体２の内部に搬送された光ディスクを保持する。スピンドルモータ６０２は、制御部の制御によりターンテーブル６０１を回転させる。ピックアップ駆動部６０４は、制御部の制御により、スピンドルモータ６０２の軸方向に光ピックアップ６０３をスライド駆動させる。光ピックアップ６０３は、光ディスクに記録されたオーディオデータを読み取る。
【００１７】
第１の軸受け７及び第２の軸受け８は、それぞれ下面が筐体２に固定され、それぞれ再生部６の後方部分の左右の位置に配設される。第１の軸受け７は、内側に凹状を成す凹部７０１を備える。第２の軸受け８は、水平方向に貫通する孔８０１を備える。再生部６は、第１の軸６０６が第１の軸受け７の凹部７０１に挿入され、第２の軸６０７が第２の軸受け８の孔８０１に挿入されることにより、第１の軸受け７及び第２の軸受け８に軸支された状態となる。
【００１８】
２つのベース部９は、下面が筐体２に固定され、再生部６の第１の軸６０６及び第２の軸６０７の前方の位置にそれぞれ配設される。２つのベース部９はそれぞれ後面にゴム部材から成る第１の弾性部９０１を備える。第１の弾性部９０１は、第１の軸６０６及び第２の軸６０７をそれぞれ後方に押圧する。ベース部１０は、下面が筐体２に固定され、第２の軸６０７の右端より右側の位置に配設される。ベース部１０は、内側にゴム部材から成る第２の弾性部１０１を備える。第２の弾性部１０１は、第２の軸６０７を再生部６に対して内側方向、つまり左側に押圧する。
【００１９】
保持部１１は、下面が筐体２に固定され、再生部６の前方となる位置に配設される。スライド部１２は、保持部１１の前方となる位置に配設される。
【００２０】
図２は、保持部１１及びスライド部１２の構成を示す図で、図２（ａ）は保持部１１を示す正面図、図２（ｂ）は保持部１１とスライド部１２の構成を示す正面図である。
【００２１】
図１及び図２（ａ）に示すように、保持部１１は、薄い板状を成し、前後に貫通し長手方向が上下方向である２つの長孔部１１１を備える。２つの長孔部１１１は、再生部６の前面に備える２つのピン６０５がそれぞれ貫通した状態となる。２つの長孔部１１１は、上端部分にそれぞれ内壁が三角形を形成する傾斜部１１２を備える。
【００２２】
図１及び図２（ｂ）に示すように、スライド部１２は、下方部分が前方に突出したＬ字型を形成し、前方部分に歯部１２１を備える。スライド部１２は、前後方向に貫通し前方から見て右側方向に亘って上方に傾斜した２つの傾斜溝１２２を備え、この傾斜溝１２２の両端部分にはそれぞれ当該傾斜溝１２２に連通し水平方向に長孔を有する水平溝１２３及び水平溝１２４を備える。
【００２３】
スライド案内部１３は、下方に凹部１３１を備え、両端が筐体２に固定される。スライド案内部１３の凹部１３１には、スライド部１２の下方部分の前方に突出した部分が挿入された状態となり、スライド部１２の上方への移動を抑止する。
【００２４】
板バネ部１４は、中央が上方に湾曲した板バネであって、両端が固定部１４１によって筐体２に固定されている。板バネ部１４は、スライド部１２の下方となる位置であって２つのピン６０５の略中央となる位置に配設され、スライド部１２を上方に押圧する。スライド部１２は、板バネ部１４によって上方に押圧されると共にスライド案内部１３によって上方への移動を抑止されることから、スライド案内部１３及び板バネ部１４に狭持された状態となり、この結果、左右方向にスライド可能となる。
【００２５】
図１に示すように、スライド駆動部１５は、モータ１５１、ウォーム１５２、ウォームホイール１５３、プーリ１５６及びベルト１５７を備える。モータ１５１は、筐体２に固定され、図示しない制御部の制御によってウォーム１５２を時計回り方向又は反時計回り方向に回転させる。ウォームホイール１５３は、ウォーム１５２と噛合った状態で筐体２に軸支される。ウォームホイール１５３は、同軸上にプーリ１５４を備える。ウォーム１５２に噛合ったウォームホイール１５３は、ウォーム１５２が回転することにより回転する。ベルト１５７は、プーリ１５４とプーリ１５６との間に掛架され、ウォームホイール１５３の回転力をプーリ１５６に伝達する。プーリ１５６は、同軸上にピニオン１５５を備え、このピニオン１５５は、スライド部１２の歯部１２１と噛合っている。ピニオン１５５は、ウォーム１５２の回転力がウォームホイール１５３、プーリ１５４及びベルト１５７を介してプーリ１５６に伝達され、回転することによって、噛合ったスライド部１２の歯部１２１を右方向または左方向にスライドさせる。
【００２６】
この構成により、スライド駆動部１５は、モータ１５１が時計回り方向または反時計回り方向に回転することによって、スライド部１２を右方向または左方向にスライドさせる。
【００２７】
図３は、ローダ部３によって光ディスクを筐体２の内部にローディングした場合における再生部６とスライド部１２の動作の過程を説明する図で、図３（ａ）はローダ部３によって光ディスクを筐体２の内部にローディングした後の状態を示す正面図、図３（ｂ）は図３（ａ）の側面図、図３（ｃ）は図３（ａ）及び図３（ｂ）の状態からスライド部１２を前方から見て左方向にスライドした状態を示す正面図、図３（ｄ）は図３（ｃ）の側面図である。
【００２８】
図４は、ローダ部３によって光ディスクを筐体２の内部にローディングした場合における再生部６とスライド部１２の動作の過程を説明する図で、図４（ａ）は図３（ｃ）及び図３（ｄ）の状態からスライド部１２を前方から見て更に左方向にスライドした状態を示す正面図、図４（ｂ）は図４（ａ）の側面図である。
【００２９】
図１に示すように、筐体２の前方にスライドしたローダ部３の凹部３０２に光ディスク２０が載置された状態で、図示しない指示釦によって制御部にローディング指示信号が入力されると、制御部は、ローダ部３を筐体２の内部にスライドするようローダ駆動用モータ５を制御する。ローダ駆動用モータ５は、ピニオン５０１を回転させ、図３（ｂ）に示すように、光ディスク２０を載置したローダ部３を筐体２の内部にスライドする。このとき、図３（ａ）に示すように、再生部６のピン６０５は、水平溝１２４に挿入された状態となる。
【００３０】
図３（ａ）及び図３（ｂ）の状態から図示しない指示釦によって制御部に再生指示信号が入力されると、制御部は、図１に示すモータ１５１を回転させ、スライド駆動部１５がスライド部１２を前方から見て左方向にスライドするよう制御する。スライド駆動部１５は、制御部の制御により、モータ１５１を回転させ、ウォーム１５２、ウォームホイール１５３及びベルト１５７を介してピニオン１５５を回転させ、このピニオン１５５に噛合ったスライド部１２の歯部１２１を左方向にスライドさせる。すると、図３（ｃ）及び図３（ｄ）に示すように、保持部１１の長孔部１１に挿入され左右方向への移動を抑止されたピン６０５は、スライド部１２の傾斜溝１２２の内壁を右方向に移動しながら保持部１１の長孔部１１１の内壁を上方に移動する。再生部６は、後方部分の第１の軸６０６及び第２の軸６０７がそれぞれ第１の軸受け７及び第２の軸受け８に軸支されていることから、ピン６０５が上方に移動することによって、第１の軸６０６及び第２の軸６０７を軸として上昇する。スライド部１２が左方向にスライドする過程においては、再生部６の自重によって２つのピン６０５がそれぞれスライド部１２を下方に押圧しようとする力が生じるが、板バネ部１４が２つのピン６０５の略中央となる位置に配設され、この板バネ部１４が２つのピン６０５をそれぞれ均等の力で上方に押圧することから、スライド部１２は、途中で傾いてしまうことなく、スムーズに左方向にスライドすることが可能となる。
【００３１】
そして、更にスライド部１２が左方向にスライドすると、図４（ａ）及び図４（ｂ）に示すように再生部６が第１の軸６０６及び第２の軸６０７を軸として更に上昇し、ターンテーブル６０１が、筐体２の内部に搬送された光ディスク２０の孔２１に挿入される。制御部は、ターンテーブル６０１が光ディスク２０の孔２１に挿入された後、クランパ１６を降下させるよう制御を行う。光ディスク２０は、クランパ１６が降下することによって、ターンテーブル６０１とクランパ１６によって孔２１が狭持される。
【００３２】
ターンテーブル６０１は、制御部の制御により光ディスク２０を回転させる。光ピックアップ６０３は、図１に示すピックアップ駆動部６０４により光ディスク２０の径方向にスライドし、光ディスク２０に記録されているデータを読み取る。光ピックアップ６０３により読み取られたデータは、図示しないデータ再生回路によって再生される。
【００３３】
図４（ａ）及び図４（ｂ）に示すように、光ディスク２０をターンテーブル６０１によって回転させ、光ディスク２０に記録されたデータを再生する場合、図１に示すように、第１の軸受け７及び第２の軸受け８に軸支された第１の軸６０６及び第２の軸６０７は、ベース部９に固定された第１の弾性部９０１によって後方に押圧され、かつ、第２の軸６０７がベース部１０に固定された第２の弾性部１０１によって内側に押圧されることにより第１の軸６０６の左端部分が第１の軸受け７の凹部７０１に押圧された状態となる。このため、第１の軸６０６及び第２の軸６０７と第１の軸受け７及び第２の軸受け８との間にはガタが生じない状態となる。
【００３４】
図５は、図４（ａ）及び図４（ｂ）に示すように、再生部６が上昇した状態における保持部１１、スライド部１２及びピン６０５を示す正面図である。
保持部１１の長孔部１１１の上端の傾斜部１１２にピン６０５が当接した状態でのピン６０５の下端の位置は、スライド部１２の下方部分の前方に突出した部分がスライド案内部１３の凹部１３１の上端に当接した状態での水平溝１２３の下端の位置より僅かに下方の位置であるものとする。
【００３５】
図４（ａ）及び図４（ｂ）に示すように、図１に示すスライド駆動部１５によってスライド部１２が左方向にスライドした状態のとき、ピン６０５は保持部１１の長孔部１１１の上端に位置すると共に、傾斜溝１２２に連通した水平溝１２３に挿入された状態となる。このとき、長孔部１１１の上端に備える傾斜部１１２にピン６０５が当接した状態でのピン６０５の下端の位置が、スライド部１２の下方部分の前方に突出した部分がスライド案内部１３の凹部１３１の上端に当接した状態での水平溝１２３の下端の位置より僅かに下方の位置であって、かつ、スライド部１２が板バネ部１４によって上方に押圧されていることから、ピン６０５が水平溝１２３に挿入された状態の場合、ピン６０５は、長孔部１１１の上端の傾斜部１１２と水平溝１２３の下端部分に狭持された状態となる。このように、ピン６０５が長孔部１１１の上端に備えた傾斜部１１２と水平溝１２３の下端との間で狭持された状態となることから、再生部６のピン６０５と水平溝１２３との間にはガタが生じない状態となる。
【００３６】
以上のように、図４（ａ）及び図４（ｂ）に示すように、再生部６が上昇して光ディスク２０をターンテーブル６０１によって回転させ、光ディスク２０に記録されているデータを再生する場合、第１の軸６０６及び第２の軸６０７と第１の軸受け７及び第２の軸受け８との間にガタが生じない状態であって、かつ、再生部６のピン６０５と水平溝１２３との間にガタが生じない状態となる。このため、例えば、再生部６によって再生する光ディスク２０が偏荷重を有しており、偏荷重を有する光ディスク２０をターンテーブル６０１によって回転させることによって光ディスク２０が水平方向又は上下方向に振動しても、第１の軸６０６及び第２の軸６０７と第１の軸受け７及び第２の軸受け８との間にガタが生じず、かつ、再生部６のピン６０５と水平溝１２３との間にガタが生じないことから、偏荷重を有する光ディスク２０から発生した振動によって再生部６が振動してしまい、光ディスクに記録されているデータを光ピックアップが正確に読み取ることができなくなったり、光ディスクから伝達される断続的な振動によって再生部に備える光ピックアップや他の電子部品が破損してしまうことを防止することができる。
【図面の簡単な説明】
【００３７】
【図１】本発明の一実施例の光ディスク再生装置を示す上面図。
【図２】保持部１１及びスライド部１２の構成を示す図で、図２（ａ）は保持部１１を示す正面図、図２（ｂ）は保持部１１とスライド部１２の構成を示す正面図。
【図３】ローダ部３によって光ディスクを筐体２の内部にローディングした場合における再生部６とスライド部１２の動作の過程を説明する図。
【図４】ローダ部３によって光ディスクを筐体２の内部にローディングした場合における再生部６とスライド部１２の動作の過程を説明する図。
【図５】図５は、図４（ａ）及び図４（ｂ）に示すように、再生部６が上昇した状態における保持部１１、スライド部１２及びピン６０５を示す正面図。
【符号の説明】
【００３８】
１  光ディスク再生装置、２  筐体、２０１  開口部、
３  ローダ部、３０１  ディスク載置部、３０２  凹部、３０３  孔、
３０４  凸部、３０５  ラックギヤ、
４  案内部、５  ローダ駆動用モータ、５０１  ピニオン、
６  再生部、６０１  ターンテーブル、６０２  スピンドルモータ、
６０３  光ピックアップ、６０４  ピックアップ駆動部、６０５  ピン、
６０６  第１の軸、６０７  第２の軸、
７  第１の軸受け、７０１  凹部、８  第２の軸受け、８０１  孔、
９  ベース部、９０１  第１の弾性部、１０  ベース部、１０１  第２の弾性部、
１１  保持部、１１１  長孔部、１１２  傾斜部、
１２  スライド部、１２１  歯部、１２２  傾斜溝、１２３  水平溝、１２４  水平溝、
１３  スライド案内部、１３１  凹部、１４  板バネ部、１４１  固定部、
１５  スライド駆動部、１５１  モータ、１５２  ウォーム、１５３  ウォームホイール、
１５４  プーリ、１５５  ピニオン、１５６  プーリ、１５７  ベルト、
１６  クランパ、２０  光ディスク、２１  孔
【図１】
2008103023.tif 000003
【図２】
2008103023.tif 000004
【図３】
2008103023.tif 000005
【図４】
2008103023.tif 000006
【図５】
2008103023.tif 000007